(57)【要約】      （修正有）【課題】簡易な構造、かつ、単純な操作により長音階及び短音階の各主音ごとの音階を容易に知ることができる音階早見盤を提供する。【解決手段】音階早見盤Ｘを、音階を構成する１２音を表す記号を、円周上に等間隔に配置して表示した表面及び裏面を有する表示盤１０と、円周上に貫通孔又は切り欠きからなる窓が所定の半径に対して前記一の方向に沿って０度、６０度、１２０度、１５０度、２１０度、２７０度、３３０度回転した位置に設けられ、０度の位置に設けられる窓が他の窓に対して識別可能に形成される表示盤１０の表面に回転可能に固定される第一回転盤２０と、第一回転盤２０と同じ位置に貫通孔及び窓が設けられ、２７０度の位置に設けられる窓が他の窓に対して識別可能に形成される表示盤１０の裏面に当該中心周りに回転可能に固定される第二回転盤３０とから構成する。【選択図】図１
2013003207.tif 000002
【特許請求の範囲】
【請求項１】
音階を構成する１２音を表す記号を、円周上に一の方向に沿って等間隔に配置して表示した表面及び裏面を有する表示盤と、
前記円周と同じ大きさの円周上に貫通孔又は切り欠きからなる窓が配置される板体であって、当該窓は当該円周を構成する円の所定の半径に対して前記一の方向に沿って０度、６０度、１２０度、１５０度、２１０度、２７０度、３３０度回転した位置に設けられるとともに、０度の位置に設けられる窓が他の窓に対して識別可能に形成され、窓が配置される円周の中心が、前記表示盤における記号が配置される円周の中心と合致するように、前記表示盤の表面に当該中心周りに回転可能に固定される第一回転盤と、
前記円周と同じ大きさの円周上に貫通孔又は切り欠きからなる窓が配置される板体であって、当該窓は当該円周を構成する円の所定の半径に対して前記一の方向に沿って０度、６０度、１２０度、１５０度、２１０度、２７０度、３３０度回転した位置に設けられるとともに、２７０度の位置に設けられる窓が他の窓に対して識別可能に形成され、窓が配置される円周の中心が、前記表示盤における記号が配置される円周の中心と合致するように、前記表示盤の裏面に当該中心周りに回転可能に固定される第二回転盤と
を有する音階早見盤。
【請求項２】
前記第一回転盤には、長音階を表す表記がなされるとともに、前記第二回転盤には、短音階を表す表記がなされる請求項１に記載の音階早見盤。
【請求項３】
前記表示盤は、前記第一回転盤及び前記第二回転盤をそれぞれ一周回転させたときに、前記第一回転盤及び第二回転盤のいずれもが重ならない張り出し部分が設けられる請求項１又は２に記載の音階早見盤。
【発明の詳細な説明】
【技術分野】
【０００１】
本発明は、長音階及び短音階の各主音ごとの音階を容易に知ることができる器具に関する。
【背景技術】
【０００２】
西洋音楽における音階は、音階を構成する１２の音のそれぞれを主音とする長音階および短音階があり、合計２４通りの音階が存在する。楽器奏者にとってこの音階の種類を把握することは基本であるが、初心者にとって楽譜だけから把握することは容易ではない。
このような問題に対して、下記特許文献には、音階を容易に把握するための器具が提案されている。特許文献１〜４に記載の発明は、大円盤の外周縁に音階を構成する１２の音を表す記号を等間隔で配置して表示するとともに、大円盤と中心を共通にして当該中心周りに回転可能に固定される小円盤の外周縁にも音階を構成する１２の音を表す記号を等間隔で配置して表示する構造を有する。このような構造により、一方の円盤に記載されている１２音を例えばC（ド）を主音とする音階とし、これを基準にして、他方の円盤を回転させて、別の音を一方の円盤のC（ド）の位置に一致させるようにすると、当該一致させた別の音を主音とする音階が、一方の円盤のC（ド）を主音とする音階との対応関係から容易に把握することができる。
【０００３】
しかし、初心者にとって基準となる円盤に単純に配置された１２音から長音階、短音階を区別して把握することは難しく特に短音階を識別することは困難である。これに対して、下記特許文献５には、オクターヴを構成する７音に対応する位置に窓を設けた長尺の上板（ガイドケース）の板に、１２音を並べて表示した下板（スケール）を移動させることで、主音の異なる音階におけるオクターヴを構成する音を表示するものが示されている。また、窓の位置を変えるためのスリットが設けられた諧調変換板が上板に重ねられており、諧調変換板の位置をずらすことで、長音階を短音階に変換することができる。この発明によれば、長音階、短音階のそれぞれの主音に対するオクターヴを構成する７音を表示でき、初心者にもわかりやすい。
【先行技術文献】
【特許文献】
【０００４】
【特許文献１】実開昭５９−１８９６６７号公報
【特許文献２】実開昭５９−４１３９９
【特許文献３】特開２００９−２０５１２０号公報
【特許文献４】特開２０１０−９１９９６号公報
【特許文献５】特開昭５７−１０１７９号公報
【発明の概要】
【発明が解決しようとする課題】
【０００５】
しかしながら、上記特許文献５に記載の発明は、構造的に１２音のすべてに関する音階を表すためには上板と下板を大きな幅でずらす必要があり、どうしても横に幅を取ってしまうという問題がある。また、諧調変換板により長調と短調とに切り替えるものであるので、構造がやや煩雑になるとともに、階調の設定に２段階の操作が必要になる。また、この特許文献５に記載の発明を、上記特許文献１から４の記載の発明と組み合わせて、円板で表現するという方法が考えられ、これにより横幅を取るという問題は解決できるが、諧調変換板を設けることによる問題は解決できない。
本発明は、このような問題に鑑み、簡易な構造、かつ、単純な操作により長音階及び短音階の各主音ごとの音階を容易に知ることができる音階早見盤を提供することを課題とする。
【課題を解決するための手段】
【０００６】
上記課題を解決するために、本発明は次のような構成を有する。
請求項１に記載の発明は、表示盤と第一回転盤と第二回転盤とから構成される音階早見盤であり、表示盤は、音階を構成する１２音を表す記号を、円周上に一の方向に沿って等間隔に配置して表示した表面及び裏面を有する。第一回転盤は、表示盤の前記円周と同じ大きさの円周上に貫通孔又は切り欠きからなる窓が配置される板体であって、当該窓は当該円周を構成する円の所定の半径に対して前記一の方向に沿って０度、６０度、１２０度、１５０度、２１０度、２７０度、３３０度回転した位置に設けられるとともに、０度の位置に設けられる窓が他の窓に対して識別可能に形成され、窓が配置される円周の中心が、前記表示盤における記号が配置される円周の中心と合致するように、前記表示盤の表面に当該中心周りに回転可能に固定される。第二回転盤は、表示盤の前記円周と同じ大きさの円周上に貫通孔又は切り欠きからなる窓が配置される板体であって、当該窓は当該円周を構成する円の所定の半径に対して前記一の方向に沿って０度、６０度、１２０度、１５０度、２１０度、２７０度、３３０度回転した位置に設けられるとともに、２７０度の位置に設けられる窓が他の窓に対して識別可能に形成され、窓が配置される円周の中心が、前記表示盤における記号が配置される円周の中心と合致するように、前記表示盤の裏面に当該中心周りに回転可能に固定される。
このような構成により、第一回転盤側において、０度の位置に設けられる窓に、表示盤に表示される一の音を表す記号を表示させるように第一回転盤を回転させると、当該音を主音とする長音階のオクターヴを構成する音を表す記号が第一回転盤の各窓に表示される。また、第二回転盤側において、２７０度の位置に設けられる窓に、表示盤に表示される一の音を表す記号を表示させるように第二回転盤を回転させると、当該音を主音とする短音階のオクターヴを構成する音を表す記号が第一回転盤の各窓に表示される。
【０００７】
請求項２に記載の発明は、前記音階早見盤において、前記第一回転盤には、長音階を表す表記がなされるとともに、前記第二回転盤には、短音階を表す表記がなされるものである。
請求項３に記載の発明は、前記音階早見盤において、前記表示盤は、前記第一回転盤及び前記第二回転盤を一周回転させたときに、前記第一回転盤及び第二回転盤のいずれもが重ならない張り出し部分が設けられるものである。
【発明の効果】
【０００８】
以上のような構成により、本発明は次のような効果を奏する。
請求項１に記載の発明は、回転盤により構成することで横幅を取ることが無く、第一回転盤側で長音階を、第二回転盤側で短音階を表すことで各面に関して１回の操作で音階を設定できるので、操作が直感的でわかりやすく、また、構造も簡易に構成することができる。
請求項２に記載の発明は、第一回転盤に長音階を表す表記をするとともに、第二回転盤に短音階を表す表記をすることで、使用者が操作及び使用時に、長音階と短音階のいずれが窓に表示されているのかを容易に認識することができる。
請求項３に記載の発明は、第一回転盤及び第二回転盤のいずれの回転位置にも重ならない張り出し部分を表示盤が有することで、操作の際に、張り出し部分を持てば、第一回転盤及び第二回転盤の回転の邪魔になることがなく、無理なく操作を行うことができる。
【図面の簡単な説明】
【０００９】
【図１】（ａ）は実施形態に係る音階早見盤の正面図であり、（ｂ）は実施形態に係る音階早見盤の背面図である。
【図２】実施形態に係る音階早見盤の分解斜視図である。
【図３】（ａ）は表示盤の正面図であり、（ｂ）は第一回転盤の正面図であり、（ｃ）は第二回転盤の正面図である。
【図４】（ａ）は音階早見盤をDを主音とする長音階に設定した状態を示す図であり、（ｂ）は音階早見盤をFを主音とする短音階に設定した状態を示す図である。
【図５】表示盤の変更例を示す正面図である。
【発明を実施するための形態】
【００１０】
以下、本発明の実施の形態について図を用いて説明する。
図１（ａ）に本実施形態に係る音階早見盤Ｘの正面図を示し、図１（ｂ）に音階早見盤Ｘの背面図を示す。また、図３に音階早見盤Ｘの分解斜視図を示す。分解早見盤Ｘは、表示盤１０、第一回転盤２０、第二回転盤３０、固定軸４０を有する。
表示盤１０は中央に貫通孔１１が設けられた円盤により構成され、表面及び裏面に音階を構成する１２音が表示される。図３（ａ）に表示盤１０の正面図を示す。なお、表示盤１０は表面裏面ともに全く同じ表記がなされる。図３(ａ)に示すように、表示盤の表面及び裏面の外縁近傍には、音階を構成する１２音を表す記号１２として、「Ｃ」「Ｄ♭・Ｃ♯」「Ｄ」「Ｄ♭・Ｅ♯」「Ｅ」「Ｆ」「Ｇ♭・Ｆ♯」「Ｇ」「Ａ♭・Ｇ♯」「Ａ」「Ｂ♭・Ａ♯」「Ｂ」の１２の文字が、等間隔に円周上に配置される。
【００１１】
第一回転盤２０は、中央に表示盤１０の貫通孔１１と同じ大きさの貫通孔２１が設けられた、表示盤１０よりもやや直径の小さい円盤により構成され、外縁に複数の切欠きからなる窓２２が設けられる。図３（ｂ）に第一回転盤２０の正面図を示す。窓２２は、図における１２時の方向を０度として、０度の位置及び、時計回りに６０度、１２０度、１５０度、２１０度、２７０度、３３０度回転した位置に設けられる。また、窓２２は第一回転盤２０を表示盤１０に貫通孔同士が一致するように重ねたときに、表示盤１０に表示される記号１２が窓２２から表示し得る程度の位置及び大きさに設定される。これらの窓２２のうち、０度の位置に設けられる窓２２には、主音を示すために矢印２３が向けられており、他の窓２２と区別できるようになっている。また、第一回転盤２０には長音階であることを示す表記２４である「Ｍａｊｏｒ」の文字が表されている。
【００１２】
第二回転盤３０は、第一回転盤２０と同じ形状をした円盤から構成され、第一回転盤２０と同じ位置に、貫通孔２１と七つの窓３２が設けられる。図３（ｃ）に第二回転盤３０の正面図を示す。なお、この第二回転盤３０の正面図で表れる面は、音階早見盤Ｘの背面側に表れるものである。第二回転盤３０は、第一回転盤２０における上述した２７０度の位置に設けられる窓３２に、主音を示すための矢印３３が向けられており、他の窓３２と区別できるようになっている。また、第二回転盤３０には短音階であることを示す表記３４である「Ｍｉｎｏｒ」の文字が表されている。
【００１３】
固定軸４０は、表示盤１０、第一回転盤２０、第二回転盤３０を回転自在に連結するものであり、軸部４１、押さえ部４２から構成される。軸部４１は、貫通孔１１、２１、３１が嵌る外径を有するパイプ体４１ａと、パイプ体４１ａの一端側に設けられるフランジ４１ｂとからなる。押さえ部４２は、パイプ体４１ａの穴に係合して固定される突起が先端に設けられたピン４２ａと、ピン４２ａの他端に設けられるフランジ４２ｂとからなる。第一回転盤２０、第二回転盤３０で表示盤１０を挟むように重ねて、軸部４１のパイプ体４１ａを貫通孔１１、２１、３１に通し、押さえ部４２を軸部４１に係合させることで、第一回転盤２０、表示盤１０、第二回転盤３０は、フランジ４１ｂ、４２ｂに挟まれて固定されることになる。このフランジ４１ｂ、４２ｂの間隔は、第一回転盤２０、表示盤１０、第二回転盤３０を重ねた厚さと略同じ程度であり、第一回転盤２０及び第二回転盤３０は、表示盤１０に接触して、回動できるが、摩擦力により任意の位置で固定できるように設定される。
【００１４】
以上のような構成により、表示盤１０の表面には時計回りに３０度ごとに半音上がった音を示す記号１２が表示される一方、第一回転盤２０に主音となる窓２２からは時計回りに６０度、１２０度、１５０度、２１０度、２７０度、３３０度の位置に窓２２が設けられるので、主音を示す窓２２に表示盤１０の一つの音を表す記号を表示させると、当該音から１音、１音、半音、１音、１音、１音の間隔分ずつ離れた音を表す記号、即ち、当該音を主音とする長音階のオクターヴを構成する音が窓２２から表れることになる。
同様に、表示盤１０の裏面にも時計回りに３０度ごとに半音上がった音を示す記号１２が表示される一方、第二回転盤３０に主音となる窓３２からは時計回りに６０度、９０度、１５０度、２１０度、２４０度、３００度の位置に窓３２が設けられるので、主音を示す窓３２に表示盤１０の一つの音を表す記号を表示させると、当該音から１音、半音、１音、１音、半音、１音の間隔分ずつ離れた音を表す記号、即ち、当該音を主音とする短音階のオクターヴを構成する音が窓３２から表れることになる。
【００１５】
具体的な使用方法を説明すると、例えば、使用者がＤを主音とする長音階のオクターヴを構成する音を知りたい場合は、長音階なので音階早見盤Xの表面を向けて第一回転盤２０を回転させ、図４（ａ）に示すように、主音を示す矢印２３が指す窓２２に表示盤１０に表示されている記号１２の中の「Ｄ」を表示させる。これにより、「Ｄ」を主音とする長音階のオクターヴを構成する音である「Ｄ」「Ｅ」「Ｆ♯・Ｇ♭」「Ｇ」「Ａ」「Ｂ」「Ｃ♯・Ｄ♭」が各窓２２に表示されることとなる。さらに、例えば、例えば、使用者がＦを主音とする短音階のオクターヴを構成する音を知りたい場合は、短音階なので音階早見盤Xの裏面を向けて第二回転盤３０を回転させ、図４（ｂ）に示すように、主音を示す矢印３３が指す窓３２に表示盤１０に表示されている記号１２の中の「Ｆ」を表示させる。これにより、「Ｆ」を主音とする短音階のオクターヴを構成する音である「Ｆ」「Ｇ」「Ａ♭・Ｇ♯」「Ｂ♭・Ａ♯」「Ｃ」「Ｄ♭・Ｃ♯」「Ｄ♯・Ｅ♭」が各窓２２に表示されることとなる。
本実施形態に係る音階早見盤Ｘは、一方の面を向けて回転盤を回転させるだけで目的とする音階のオクターヴを構成する音を知ることができるので、操作が直感的でわかりやすく、また、構造も簡易に構成することができる。さらに、表示盤１０の外径が第一回転盤２０、第二回転盤３０の外径よりも大きいので、表示盤１０の外周縁を持つことで、第一回転盤１０及び第二回転盤２０を無理なく回転させることができる。
【００１６】
なお、上記実施形態では、表示盤に表示される音名として、アメリカ・イギリス式にＣＤＥＦＧＡＢを用いているが、初心者にわかりやすいように、フランス・イタリア式の音名をカタカナで表したドレミファソラシドを用いてもよい。図５に１２音を表す記号１２としてドレミファソラシドによる表記に置き換えた表示盤１０Ａの例を示す。
また、表示盤１０、第一回転盤２０、第二回転盤３０を構成する素材は、プラスチック、木、金属等どのような素材で形成してもよいことはいうまでもない。
そして、上記実施形態では、第一回転盤２０、第二回転盤３０の窓２２、３２を切り欠きにより構成しているが、外縁側を閉じ、貫通孔として構成してもよい。
さらに、第一回転盤２０、第二回転盤３０において主音が表示される窓を示すために矢印２３、３３を用いているが、主音を表す窓が他の窓と識別できればよいので、矢印である必要はなく、矢印以外の記号を用いたり、窓の回りに枠を設けたり、窓近傍の色を変えたり等種々の変更が可能である。
また、第一回転盤２０に表示される長音階であることを示す表記２４、第一回転盤３０に表示される短音階であることを示す表記３４は、それぞれ、長音階、短音階であることが認識できればよいので、それぞれ「長音階」と「短音階」、「長」と「短」、「Ｍ」と「ｍ」等適宜変更してもよいことはいうまでもない。
それから、上記実施形態では、固定軸４０を軸部４１、押さえ部４２から構成されるものを例示したが、表示盤１０、第一回転盤２０、第二回転盤３０を回動可能に連結できるものであれば、どのようなものでもよく、はと目や、リベット、両端に目ネジが切られたスペーサーの両端をネジで固定する等、種々のものを採用することができる。
【符号の説明】
【００１７】
Ｘ  音階早見盤
１０  表示盤
１１  貫通孔
１２  音を表す記号
２０  第一回転盤
２１  貫通孔
２２  窓
２３  主音を示す矢印
２４  長音階を表す表記
３０  第二回転盤
３１  貫通孔
３２  窓
３３  主音を示す矢印
３４  短音階を表す表記
４０  固定軸
【図１】
2013003207.tif 000003
【図２】
2013003207.tif 000004
【図３】
2013003207.tif 000005
【図４】
2013003207.tif 000006
【図５】
2013003207.tif 000007